(57)【要約】【課題】  エンジン始動後に運転者が交代した場合にも適切にカードを装着するように警報することが可能な「料金収受システム用車載装置」を提供する。【解決手段】  路側装置(２)との間で無線通信を行い通行料金の決済を行う料金収受システム用車載装置(１)であって、車載装置に装着され、決済に必要な情報を記録するカードの装着の有無を検出する検出手段(１０ｂ)と、車両のエンジンの動作情報および運転者の交代の可能性を示す情報に基づいて、運転者の交代を判断する判断手段(１０ｃ)と、前記検出手段の検出結果および前記判断手段の判断結果に基づいて、前記カードの装着確認に関する表示をする表示制御手段(１３)と、を具備する。【選択図】  図２
2010218207.tif 000002
【特許請求の範囲】
【請求項１】
路側装置との間で無線通信を行い通行料金の決済を行う料金収受システム用車載装置であって、
車載装置に装着され、決済に必要な情報を記録するカードの装着の有無を検出する検出手段と、
車両のエンジンの動作情報および運転者の交代の可能性を示す情報に基づいて、運転者の交代可能性を判断する判断手段と、
前記検出手段の検出結果および前記判断手段の判断結果に基づいて、前記カードの装着確認に関する表示をする表示制御手段と、
を具備する料金収受システム用車載装置。
【請求項２】
前記運転者の交代の可能性を示す情報は、運転者側のドアの開閉を示す情報、運転者の運転席設定に関する情報、携帯電話の変更に関する情報、およびスマートキーの変更に関する情報のうち、少なくとも一つである請求項１記載の料金収受システム用車載装置。
【請求項３】
前記運転者の運転席設定に関する情報は、ハンドルの位置、座席の位置、およびミラーの位置のうち、少なくとも一つである請求項２記載の料金収受システム用車載装置。
【請求項４】
前記カードの装着確認に関する表示は、カードの未装着検出時には、未装着の警報表示、カードの装着検出時には、カードの継続使用の確認表示である請求項1記載の料金収受システム用車載装置。
【請求項５】
前記表示制御手段は、可聴表示および可視表示のうち、少なくとも一方の表示制御行うことを特徴とする請求項１記載の料金収受システム用車載装置
【請求項６】
前記カードは、前記車載器のスロットに挿入されることにより、装着されるＩＣカードである請求項１記載の料金収受システム用車載装置。
【請求項７】
路側装置との間で無線通信を行い通行料金の決済を行う料金収受システム用車載装置であって、
車載装置に装着され、決済に必要な情報を記録するカードを装着する装着手段と、
車両のエンジンの動作情報および運転者の交代の可能性を示す情報に基づいて、運転者の交代可能性を判断する判断手段と、
前記判断手段の判断結果に基づいて、前記カードの装着確認に関する表示をする表示制御手段と、
を具備する料金収受システム用車載装置。
【発明の詳細な説明】
【技術分野】
【０００１】
料金決済用情報を記憶しているＥＴＣカード等のカードを使用し、通行料金などの料金の決済を行うＥＴＣシステム（Ｅｌｅｃｔｒｏｎｉｃ  Ｔｏｌｌ  Ｃｏｌｌｅｃｔｉｏｎ  ｓｙｓｔｅｍ：自動料金収受システム）等に代表される料金収受システムおいて、路側装置との間で無線通信を行う車載装置へのカードの挿入忘れ等を防止する技術に関し、特に詳細には、運転者が交代した場合に車載装置へのカードの挿入忘れ等を防止する技術に関する。
【背景技術】
【０００２】
従来、この種の技術として、高速道路等の有料道路において、料金所におけるノンストップ化による渋滞緩和や、キャッシュレス化による利便性の向上、料金所の無人化による人件費削減等を目的として、車両が停止せずに自動的に料金の支払いができる自動料金収受システム（例えば、ＥＴＣシステム）が実用化されている。国内でのＥＴＣシステムは、料金所等の周辺に設置された路側装置(路上装置とも呼ばれる)と双方向の無線通信により料金収受を行う料金収受システム用車載装置（例えば、ＥＴＣ車載器）と、それを決済するためのＩＣカード（例えば、ＥＴＣカード）とで構成されている。このＥＴＣカードは、個人情報に基づく料金決済用情報や利用明細情報等のＥＴＣシステムを利用するために必要な情報を記憶している。
【０００３】
このようなＥＴＣシステムを利用する際、利用者は車両に搭載したＥＴＣ車載器のカードスロットにＥＴＣカードを挿入する。そして、ＥＴＣ車載器へＥＴＣカードが挿入された状態でＥＴＣ車載器と路側装置との間で通信が行われる。つまり、ＥＴＣカードから読み出した情報を路側装置へ送信したり、路側装置から送信された情報をＥＴＣカードに書き込んだりすることで、料金の収受が自動的に行われる。
【０００４】
このようなＥＴＣシステムの従来技術として、特許文献１に開示されたＥＴＣ車載システムでは、乗車時などの運転開始時に、ＥＴＣカードの未挿入が検出された場合、カード挿入を促すメッセージを報知したり、降車時などの運転終了時にＥＴＣカードの挿入が検出された場合にＥＴＣカードの抜き忘れを報知したりする。
【０００５】
ナビケーション装置と連携した従来技術としては、経路探索を行い、前方に有料道路が含まれる場合、ＥＴＣカードが挿入されていないと判定されたとき、カードが未挿入であることを警告したり、経路探索を行い、前方に有料道路が含まれない場合、ＥＴＣカードが挿入されていると判定されたとき、ＥＴＣカードの引き抜き忘れを警告したりするものがある(例えば、特許文献２および特許文献３)。この場合、有料道路走行時、サービスエリア等で一時的に停車する場合、ＥＴＣカード抜き忘れの警告は発しないようにできる。また、特許文献４に開示された車両用警告装置では、料金所到着前、地図情報により料金所との距離に応じてＥＴＣカードの未挿入の警告を行い、運転者にカードの未挿入を確実に認識させることができる。
【先行技術文献】
【特許文献】
【０００６】
【特許文献１】特開２００１‐２９７３４８号公報
【特許文献２】特開２００８‐１７６６１３号公報
【特許文献３】特開２００８‐１７６６１４号公報
【特許文献４】特開２００７‐１８８２６１号公報
【発明の概要】
【発明が解決しようとする課題】
【０００７】
しかしながら、以上述べた従来技術では、エンジン始動により運転を開始した時にＥＴＣカード未挿入を警報するが、エンジン始動後に運転者が交代した場合には、交代した運転者がＥＴＣカードの未挿入である事に気づかない場合がある。例えば、有料駐車場等にＥＴＣカードを抜いて車を預けた場合、返却時にエンジンがかかったままの状態で車を渡されると、ＥＴＣカードが未挿入であっても未挿入の警報がなされない。
【０００８】
ナビゲーション装置と連携した従来システムでは、有料道路を含む経路案内中にＥＴＣカードの未挿入の警告を出すが、経路案内を使用していない場合は警告が出ない。また、運転者が交代した場合に、前の運転者が抜き忘れたＥＴＣカードを知らずにそのまま使用してしまう可能性がある。
【０００９】
本発明の目的は、エンジン始動後に運転者が交代した場合にも適切にカードを装着するように警報することが可能な料金収受システム用車載装置を提供することである。
【課題を解決するための手段】
【００１０】
本発明に係る車載装置は、路側装置との間で無線通信を行い通行料金の決済を行う料金収受システム用車載装置であって、車載装置に装着され、決済に必要な情報を記録するカードの装着の有無を検出する検出手段と、車両のエンジンの動作情報および運転者の交代の可能性を示す情報に基づいて、運転者の交代可能性を判断する判断手段と、前記検出手段の検出結果および前記判断手段の判断結果に基づいて、前記カードの装着確認に関する表示をする表示制御手段と、を具備するものである。
【００１１】
この構成によれば、エンジン始動後の運転者の交代可能性を判断してカードの装着確認に関する表示(例えば、カード未装着の警報表示)ができるので、有料駐車場やホテルの駐車場等で、エンジンがかかったままの状態で返却されるような場合にも、カード未装着のまま料金所に進入するような可能性を減らせる。また、カーナビゲーション装置に連携した車載装置の場合に、熟知した経路などで、カーナビゲーション装置をオフしたときにも、運転者の交代時におけるカード未装着の警報表示が可能となる。さらに、運転者が交代した場合に、前の運転者が抜き忘れたカードを知らずにそのまま使用してしまう可能性も減らすことができる。
【００１２】
本発明に係る車載装置は、好ましくは、前記運転者の交代の可能性を示す情報は、運転者側のドアの開閉を示す情報、運転者の運転席設定に関する情報、携帯電話の変更に関する情報、およびスマートキーの変更に関する情報のうち、少なくとも一つである。この構成によれば、一般的な車両管理情報を取得すればよく、取得のために特別な手段を設ける必要がない。
【００１３】
本発明に係る車載装置は、好ましくは、前記運転者の運転席設定に関する情報は、ハンドルの位置、座席の位置およびミラーの位置のうち、少なくとも一つである。
【００１４】
本発明に係る車載装置は、好ましくは、前記カードの装着確認に関する表示は、カードの未装着検出時には、未装着の警報表示、カードの装着検出時には、カードの継続使用の確認表示である。
【００１５】
本発明に係る車載装置は、好ましくは、前記表示制御手段は、可聴表示および可視表示のうち、少なくとも一方の表示制御行うことを特徴とするものである。
【００１６】
本発明に係る車載装置は、好ましくは、前記カードは、前記車載器のスロットに挿入されることにより、装着されるＩＣカードである。この構成によれば、より一般的なデバイスを使用することができる。
【００１７】
本発明に係る車載装置は、路側装置との間で無線通信を行い通行料金の決済を行う料金収受システム用車載装置であって、車載装置に装着され、決済に必要な情報を記録するカードを装着する装着手段と、車両のエンジンの動作情報および運転者の交代の可能性を示す情報に基づいて、運転者の交代可能性を判断する判断手段と、前記判断手段の判断結果に基づいて、前記カードの装着確認に関する表示をする表示制御手段と、を具備するものである。
【００１８】
この構成によれば、エンジン動作中の運転者の交代可能性を判断しているので、有料駐車場やホテルの駐車場等で、エンジンがかかったままの状態で返却されるような場合にも、カード未装着のまま料金所に進入するような可能性を減らせる。また、カーナビゲーション装置に連携した車載装置の場合に、熟知した経路などで、カーナビゲーション装置をオフしたときにも、運転者の交代時において、カードの装着確認に関する表示により、運転者がカード未装着を確認することが可能となる。さらに、運転者が交代した場合に、カードの装着確認に関する表示により、前の運転者が抜き忘れたカードを知らずにそのまま使用してしまう可能性も減らすことができる。
【発明の効果】
【００１９】
有料駐車場やホテルの駐車場等で、エンジンがかかったままの状態で返却されるような場合にも、カード未装着まま料金所に進入するような可能性を減らせる。また、カーナビゲーション装置に連携した車載装置の場合にも、熟知した経路などで、カーナビゲーション装置をオフしたときにも、運転者の交代時において、前記カードの装着確認に関する表示として、カード未装着の警報表示が可能となる。さらに、運転者が交代した場合に、前の運転者が抜き忘れたカードを知らずにそのまま使用してしまう可能性も減らすことができる。
【図面の簡単な説明】
【００２０】
【図１】本発明の実施例に係る料金収受システム用車載装置の構成例を示すブロック図である。
【図２】本発明の実施例に係る料金収受システム用車載装置における制御部の機能的な構成例を示すブロック図である。
【図３】本発明の実施例における交代可能性の判断処理手順を示すフローチャートである。
【発明を実施するための形態】
【００２１】
本発明の最良の実施の形態について図面を参照して詳細に説明する。
【実施例】
【００２２】
図１は、料金収受システム用車載装置の構成例を示すブロック図である。ＥＴＣシステムに代表される料金収受システム１００は、車両に設置される車載装置１と、料金所の周辺部に設置される路側装置２とを含んで構成される。この車載装置１との間で利用通行料金を含む料金決済のための無線通信を行う路側装置２は、管理センタ３に設置された中央系システムに接続される。この中央系システムでは、入口料金所および出口料金所の路側装置２から送られる情報をもとに、クレジット会社や銀行などの金融機関のシステムとの間で、料金収受を含む関連するサービスに対する料金の決済を行う。
【００２３】
車載装置１は、ＥＴＣ処理などの料金収受処理プログラムなどの各種プログラムに基づいて装置全体を制御する制御部１０、路側装置２と双方向の無線通信を行う通信部１１、ＥＴＣカード等のＩＣカードの装着を行うカードスロットなどのカード装着部１２、ＩＣカードの装着確認に関係する警報表示などの情報の表示制御をする表示制御部１３、ＬＥＤまたは表示画面に警報内容などの情報を表示する可視表示部１４、ブザーまたはスピーカに警報内容などの情報を可聴表示する可聴表示部１５、車両の種別情報などの決済に必要な情報を記憶する記憶部１６、および車両全体を管理する車両管理装置４に接続するためのインタフェースとしての接続部１７を含んで構成される。
【００２４】
制御部１０は、例えば、図示しないが、ＣＰＵ(中央処理装置)、ＲＯＭ(リードオンリメモリ)，ＲＡＭ(ランダムアクセスメモリ)、入出力回路およびこれらを接続するバスなどから構成される公知のマイクロコンピュータである。ＣＰＵは、ＲＯＭおよびＲＡＭに記憶されたプログラムおよび情報により制御を行う。ＲＯＭには、先に述べた料金収受処理プログラムなどの各種プログラムが格納され、ＲＡＭは料金収受処理実行時などの作業領域として働く。なお、この制御部１０のプログラムを実行したときの機能については、後述する。
【００２５】
次に車載装置１が、運転者の交代の可能性を示す情報を取得するために利用する車両管理装置４の構成について説明する。この車両管理装置４は、一般的な車両に搭載されているものであり、本実施例では、これを利用するものとし、運転者の交代の可能性を示す情報を取得するためには、特別な装置は設けないものとする。
【００２６】
車両管理装置４は、車両全体の管理および装置全体の制御を行う管理制御部４０、車載装置と接続するためのインタフェースである接続部４１、携帯電話５と例えばブルートゥースで通信を行う第１通信部４２、スマートキーなどと呼ばれるキー携帯機６と通信を行う第２通信部４３、エンジンの始動および停止を含む車両の走行を制御する走行制御部４４、ドアの開閉およびロックなどを制御するドア開閉制御部４５、および電動座席の制御を行う電動座席制御部４６を含んで構成される。
【００２７】
管理制御部４０も、先に述べた制御部１０と同様に、例えば、ＣＰＵ、ＲＯＭ，ＲＡＭ、入出力回路およびこれらを接続するバスなどから構成される公知のマイクロコンピュータである。ＣＰＵは、ＲＯＭおよびＲＡＭに記憶されたプログラムおよび情報により制御を行う。また、走行制御部４４、ドア開閉制御部４５、電動座席制御部４６なども、同様に構成することにより、複数のコンピュータで構成してもよいが、一つのコンピュータで各部の機能に対応するプログラムを実行することにより実現してもよい。
【００２８】
図２は、車載装置１の制御部１０の機能要素を示すブロック図である。制御部１０は、ＥＴＣ処理などの料金収受処理を含む料金決済のための処理をする決済処理部１０ａ、ＩＣカードの装着の有無を検出する検出部１０ｂ、運転者の交代の可能性を判断する判断部１０ｃ、および接続部１７を介して車両管理装置４から運転者の交代の可能性を判断するために使用する情報を収集する情報収集部１０ｄを含んで構成される。
【００２９】
次に図３のフローチャートを参照して運転者の交代の判断処理動作を中心に本実施例の動作について説明する。
【００３０】
車載装置１の制御部１０の情報収集部１０ｄが、運転者の交代の判断に使用する情報を車両管理装置４の管理制御部４０から取得する(Ｓ１)。ここで、車両管理装置４の管理部４０では、図示しないメモリ(例えば前述のＲＡＭ)に各部が設定した状態情報などの情報を読めるものとする。例えば、第１通信部４２が設定する通話状態を示す状態情報や利用中の登録ＩＤ情報、第２通信部４３が設定する操作状態を示す状態情報や利用中の登録ＩＤ情報、走行制御部４４が設定するエンジンの動作状態を示す状態情報、ドア開閉制御部４５が設定するドア開閉状態を示す状態情報、電動座席制御部４６が設定する電動座席における前後の位置情報などの各種情報がメモリに書き込まれているとする。管理制御部４０が、これららを含む情報の読み出し転送要求を情報収集部１０ｄから受けると、これらの情報を要求に応じてメモリから読み出して情報収集部１０ｄに転送する。
【００３１】
このようにして情報収集部１０ｄが取得した情報をもとに、判断部１０ｃが、運転者の交代の可能性を次のように判断する。取得した情報のうち、エンジンの状態情報からエンジンが動作中か判断する(Ｓ２)。動作中であれば、次に運転者の交代可能性の条件から交代を判断する(Ｓ３)。
【００３２】
運転者の交代可能性を示すものとして、まず、運転者側のドアの開閉、運転者の体格などの相違に対応して相違する運転席の前後位置などがある。また、通常、携帯電話５をハンズフリーのスピーカフォンやヘッドセットなどとして利用できるのは登録者のみであり、これを運転者の交代の判断に利用する。特定の運転者のみの場合には、例えば、スピーカフォン状態か否かで判断したり、登録者が複数であれば、スピーカフォン状態時における登録ＩＤの相違で判断したりできる。また、スマートキーなどのキー携帯機６も同様である。
【００３３】
このような情報収集部１０ｄが収集した情報から交代条件を満足するかどうかを判断部１０ｃが判断し、条件を満足すれば、検出部１０ｂにより、カードの未装着かどうかを検出する(Ｓ４)。カードの未装着が検出された場合には、カードの装着確認に関する表示処理として、カード未装着の警報内容の表示処理に移行する（Ｓ５）。
【００３４】
このカード未装着の警報内容の表示処理では、表示制御部１３は、運転者の交代可能性の度合いに応じて適切かつ確実に表示制御することができる。例えば、運転者側のドアの開閉のみ場合は、交代しない可能性もあるので、比較的弱い警報表示とする。例えば、ＬＥＤの点滅回数やブザーの回数は少数とする。運転者側のドアの開閉に加えて、運転席の前後の位置が閾値以上変更された場合には、運転者の交代可能性が高いので、強い表示とする。例えば、ＬＥＤの点滅回数やブザーの回数を先の場合より多くする。
【００３５】
運転者の交代可能性を満足した場合に、カードの装着状態であっても、そのカードを継続して使用するかどうかの確認表示を行い、運転者の正しいカードの装着確認を促す(Ｓ６)。
【００３６】
このようなカードの装着確認に関する表示としての警報表示により、運転者の適切なＩＣカードがカード装着部１２に装着されると、ＩＣカードの情報および記憶部１６の情報を用いて決済処理部１０ａにより、路側装置２と通信が行われ、公知の料金収受処理を含む決済処理が行われる。
【００３７】
なお、一度、料金所のＥＴＣ入口ゲートを通過して、既に有料道路を走行している場合には、本実施例で説明した運転者の交代の判断処理を含む処理モードは解除するように制御される。
【００３８】
このように、エンジン始動後の運転者の交代可能性を判断してカード未装着の警報表示ができるので、有料駐車場やホテルの駐車場等で、エンジンがかかったままの状態で返却されるような場合にも、カード未装着のまま料金所に進入する可能性を減らせる。また、カーナビゲーション装置に連携した車載装置の場合にも、熟知した経路などで、カーナビゲーション装置をオフのときにも、運転者の交代時におけるカード未装着の警報表示が可能となる。さらに、運転者が交代した場合に、前の運転者が抜き忘れたＥＴＣカードなどのカードを知らずにそのまま使用してしまう可能性も減らすことができる。
【００３９】
以上最良の実施例について説明したが、その変形例として、カードの装着確認に関する表示をする場合に、ステップＳ４のカードの装着・未装着を判断することなく、ステップ３の運転者の交代可能性条件を満足した時点で、表示してもよい。例えば、「カード装着部１２のカードを確認してください」を意味する表示をする。この表示により、利用者としての運転者自身が、カード装着部１２を確認する。このとき、カードが未装着であれば、自身のカードを装着し、前の運転者のカードが装着されている場合には、自身のカードに交換するなどの対応ができる。この結果、変形例の構成でも、同様に発明の目的を達成することができる。
【００４０】
以上述べた実施例では、運転者の交代可能性条件のユーザによる設定については言及していないが、ユーザにより、車両の利用状況に応じて、交代可能性条件の情報利用のオンオフや、条件にする情報の組み合わせを選択できるようにしてもよい。ハンドルの位置やルームミラーなどのミラーが調整し、調整結果が記憶できる場合には、交代条件の対象情報として、追加してもよい。また、可視表示部や可聴表示部を車載装置のものを使用する記載をしているが、これに限らず、車両管理装置を介して、運転席正面の比較的大ききな表示画面を使用することにより、表示内容をより確実に運転者に知らせるようにしてもよい。例えば、シートベルトの未装着などと同様に、運転席の正面の表示パネルにアイコンやテキストにより表示してもよい。カードとしてＥＴＣカードのようなＩＣカードを例に述べているが、これに限らず、ＩＣカード以外の同様に情報を記憶(記録)し読み出すことができるものであれば、どんなカードでもよく、さらに接触型カードに限らず、非接触型カードでもよい。
【００４１】
さらに、以上述べた実施例では、運転者の交代の可能性を示す情報を車両管理装置から収集するようにしたが、対象情報を取得するためのセンサ等の検出装置を車載装置に直接接続して取得してもよい。
【００４２】
以上述べた実施例では、運転者の交代可能性判断時に、関連するサービス提供については言及していないが、運転者の交代可能性ありのときには、ルームミラーなどの調整を促すような調整要表示の制御を行っても良い。
【００４３】
以上、本発明の好ましい実施の形態について詳述したが、本発明に係わる特定の実施形態に限定されるものではなく、請求項の範囲に記載された本発明の要旨の範囲内において、種々の変形・変更が可能である。
【符号の説明】
【００４４】
１：車載装置
２：路側装置
３：管理センタ
４：車両管理装置
５：携帯電話
６：キー携帯機
１０：制御部
１１、４２、４３：通信部
１２：カード装着部
１３：表示制御部
１４：可視表示部
１５：可聴表示部
１６：記憶部
１７、４１：接続部
４０：管理制御部
４４：走行制御部
４５：ドア開閉制御部
４６：電動座席制御部
【図１】
2010218207.tif 000003
【図２】
2010218207.tif 000004
【図３】
2010218207.tif 000005